(57)【要約】【課題】従来の機械的構成部品である放射状ピースなる導光体を削減し、構造の簡素化を図り、耐久性、生産コストの低減と共に製品品質を向上させること。また、指針、導光体が不要なため、奥行き寸法を小さくして軽量、小型化とし、指針に代わってＬＥＤの円弧状の軌跡が残像となって、視認性を向上させること。さらに、導光体を削減することによって、設計の自由度を上げること。【解決手段】円板状の基板１の外周直近にＬＥＤ２を実装したものをモータ軸５に取り付け、制御装置により一定速度でモータ３を回動させて、ＬＥＤの発光のタイミングを制御することにより発光の軌跡が指針に置き換えられ、残像効果により、円弧状に表示をさせる構造としている。【選択図】図２
2014035270.tif 000002
【特許請求の範囲】
【請求項１】
円板状の基板の外周直近にＬＥＤを実装したものをモータ軸に取り付け、制御装置により一定速度で回動させて、ＬＥＤを発光をさせる構造としていることを特徴とする残像ＬＥＤ表示装置。  
【請求項２】
回転数に応じて所定角度位置で、前記の円板状の基板の外周直近のＬＥＤを発光させる制御手段を具備することを特徴とする請求項１記載の残像ＬＥＤ表示装置。
【請求項３】
ＬＥＤの発光のタイミングを制御することにより発光の軌跡が指針に置き換えられ、残像効果により、円弧状に表示をさせる構造としていることを特徴とする請求項１請求項２記載の残像ＬＥＤ表示装置。
【発明の詳細な説明】
【技術分野】
【０００１】
この発明は、計測に用いる残像ＬＥＤ表示装置の表示方式に関する。
【背景技術】
【０００２】
従来のＬＥＤ表示装置は図1で示すように、放射状ピースを導光体として略円板状に配置され、放射状ピース外周より、駆動部によりＬＥＤを回動させ、制御装置によって所定角度位置に位置したとき、放射状ピースにＬＥＤを発光することにより、指針として表示できる構造のものであった。
【先行技術文献】
【特許文献】
【０００３】
【特許文献１】特開平０９−０５４５５９
【発明の概要】
【発明が解決しようとする課題】
【０００４】
従来の方法での実施形態であるスピードメータの指針として表示するために、放射状ピースなる導光体を配置し、メータの目盛の最小分解能の数値を２ｋｍ／ｈとするならば、最大表示１８０ｋｍ／ｈのとき、９０個の放射状ピースを略円板状に配置する構造が必須であった。
【課題を解決するための手段】
【０００５】
そこで、この発明は、円板状の基板の外周直近にＬＥＤを実装したものをモータ軸に取り付け、制御装置により一定速度で回動させて、ＬＥＤの発光のタイミングを制御することにより発光の軌跡が指針に置き換えられ、残像効果により、円弧状に表示をさせる構造としている。
【発明の効果】
【０００６】
従来の機械的構成部品である放射状ピースなる導光体を削減し、構造の簡素化を図り、耐久性、生産コストの低減と共に製品品質を向上することができる．
また、指針盤、導光体が不要なため、奥行き寸法を小さくして軽量、小型化が可能で、視認性が向上する。
さらに最小目盛の分解能は導光体に依存して設計する必要がないため、設計の自由度が上がる。
【図面の簡単な説明】
【０００７】
【図１】従来技術を示す構造断面図である。
【図２】この発明の一実施形態を示す側面図である。
【図３】この発明の実施形態の残像ＬＥＤ表示装置としての回転計を示す平面図である。
【図４】図３の回転計の拡大部分平面図である。
【図５】残像ＬＥＤ表示装置としての回転計の全体動作を示すブロック図である。
【発明を実施するための形態】
【０００８】
この発明の一実施形態を、図２に示す。
円板状の基板１の外周直近にチップ型ＬＥＤ２が実装されている。
モータ３の軸５にこの円板状の基板が取り付けられている。
円板状の基板が回転する際、起算点とする原点信号を発生させるために、赤外線反射センサ６と反射板７を、円板状の基板とモータの間に具備している。
この原点信号によりＬＥＤの発光タイミングが制御できる構造になっており、目盛盤４にある数値を読みとることができる。
【０００９】
図３はこの発明の実施形態の残像ＬＥＤ表示装置としての回転計を示す平面図である。
この発明の実施形態の残像ＬＥＤ表示装置はエンジン用回転計として適用され、毎分０から１４，０００回転までの回転数を表示する数字が目盛盤に刻まれている。
円板状の基板が常時回転し、ＬＥＤは目盛盤の０の位置では常に、赤外線反射センサ６と反射板７により原点信号を発生し、制御装置に信号を送り出している。    
【００１０】
図４の回転計の拡大部分平面図ではモータの１ステップずつの連続動作を示している。
モータは制御装置により、１ステップずつ角度を刻んで回転し、ＬＥＤは原点の位置で点灯を開始し、計測回転数に相当するステップ数の位置で消灯する。
図４では目盛の３（３，０００回転）の位置で、１２ステップ回転した位置でＬＥＤが消灯している。
この点灯を目盛の３（３，０００回転）の位置において、瞬時発光させると、導光体を具備しない構造であるので点として表示され視認性が悪いが、この発明では、原点より連続発光することにより、円弧状の軌跡８となり、さらに、目の残像によって、あたかも複数のＬＥＤ発光が発光しているかのように見える。
特に競技用車輌に使われるエンジンは、回転の変化が激しいため、運転者に遅延を最小かつ、瞬時の視認性を高めて知らせることが競技の勝敗に関わるので、この発明の実施形態の残像ＬＥＤ表示装置としてエンジン回転計は適している。
【００１１】
図５はこの実施形態の残像ＬＥＤ表示装置としての回転計の電気的構成および動作を示したブロック図である。                
【００１２】
まず、回転センサ１１より回転信号が生成され、回転計測部２４に入力される。波形整形回路２１を介してカウンタ２２に入力され、所定時間の数値として、記憶回路２３に一時記憶される。
一方、モータ駆動部３４では発振回路３１で基準周波数が生成され、モータ制御回路３２へ一定速度の回転を保つようにモータドライブ信号を生成する。
さらに、モータドライバ３５を介してモータ５を駆動する。
この時、モータ駆動部３４からは同時に制御信号を回転計測部２４にも入力され、記憶回路２３に一時記憶されていた数値に対して、モータ回転と同期を取って、ＬＥＤ点灯信号出力としてＬＥＤドライバ２５を介して、ＬＥＤ２の点灯、消灯を制御する。
なお、カウンタ２２の所定時間の数値は、毎回転、赤外線反射センサ６と反射板７により生成された原点信号よってクリアし、計測回転数と目盛盤の数値が合致するように演算される。計測は円板状の基板１が回転する度、繰り返えされる。
【符号の説明】
【００１３】
２０    ＬＥＤ
５１    導光体
５２     反射面
６０     指針盤
６１    指針
６５     駆動軸
７１    駆動部
１      円板状の基板
２      チップ型ＬＥＤ
３      モータ
４      目盛盤
５      モータ軸
６      赤外線反射センサ
７      赤外線反射板
８      ＬＥＤ発光の軌跡
１１     回転センサ
２１     波形整形回路
２２    カウンタ
２３      記憶回路
２４      回転計測部
２５     ＬＥＤドライバ
３１     発振回路
３２      モータ制御回路
３４      モータ駆動部  
３５      モータドライバ
【図１】
2014035270.tif 000003
【図２】
2014035270.tif 000004
【図３】
2014035270.tif 000005
【図４】
2014035270.tif 000006
【図５】
2014035270.tif 000007